(57)【要約】  【課題】  簡単な構成で、長期にわたって安定した作動を行える収納ボックスの錠装置を提供する。  【解決手段】  一側面を開口部（２）に形成しているボックス状のケース本体（１）と、この開口部（２）を閉塞する扉体（３）とを有する収納ボックスに組み込まれる錠装置であって、扉体（３）に形成した貫通孔（９）に進退可能に組み込まれた操作軸（１０）と、この操作軸（１０）の扉体（３）の内面から突出された部位に回動不能に組み付けられ操作軸（１０）の回動操作で回動するロック板（１１）と、操作軸（１０）を押し込み進入させない時には操作軸（１０）を進退可能にかつ回動不能に支持させ、操作軸（１０）を押し込み進入させた時には操作軸（１０）を回動可能に支持させる支持ブロック（１２）と、ケース本体（１）の内部に設けられたロック板受止部（５）とを備えているものである【選択図】    図１
2019163657.tif 000002
【特許請求の範囲】
【請求項１】
一側面を開口部（２）に形成しているボックス状のケース本体（１）と、この開口部（２）を閉塞する扉体（３）とを有する収納ボックスに組み込まれる錠装置であって、
扉体（３）に形成した貫通孔（９）に進退可能に組み込まれた操作軸（１０）と、
この操作軸（１０）の扉体（３）の内面から突出された部位に回動不能に組み付けられ操作軸（１０）の回動操作で回動するロック板（１１）と、
上記操作軸（１０）を押し込み進入させない時には操作軸（１０）を進退可能にかつ回動不能に支持させ、操作軸（１０）を押し込み進入させた時には操作軸（１０）を回動可能に支持させる支持ブロック（１２）と、
ケース本体（１）の内部に設けられたロック板受止部（５）とを備え、
上記ロック板（１１）には、その板部（２０）の一部から外方に延出させた係合突片（２１）を設けていて、上記操作軸（１０）の回動操作によって、係合突片（２１）が上記ロック板受止部（５）と係合する位置と係合しない位置に移動可能に構成されており、
上記操作軸（１０）には、押し込み進入させていない状態で上記扉体（３）の外面から突出している部位に、操作軸（１０）の南京錠（１６）のツル（１６ａ）を挿通させて操作軸（１０）の押し込み進入を不能にさせるツル挿通孔（１７）が形成されていることを特徴とする収納ボックスに組み込まれる錠装置。
【請求項２】
上記操作軸（１０）のツル挿通孔（１７）に南京錠（１６）のツル（１６ａ）を挿通させた請求項１に記載の収納ボックスの錠装置。
【発明の詳細な説明】
【技術分野】
【０００１】
本発明は、鍵収納ボックスやメールボックス等の収納ボックスに適用することができる収納ボックスの錠装置に関する。
【背景技術】
【０００２】
住宅の玄関や部屋あるいは倉庫の入口の鍵は、特定の利用者だけが利用できるように保管されるが、その住宅や倉庫を複数の利用者が共同利用する場合には、その鍵（被保管鍵という）を収容したボックスを利用場所の付近に取り付ける鍵収納ボックスが、従来から提案されている。このような収納ボックスの一例として、前面を扉で開閉可能にしたボックス状のケース本体の上面にドアノブの軸に係着可能な逆Ｕ字状のシャックルを着脱可能に取り付け、ケース本体の内部空間を鍵収納空間とするとともに、カバ―をケース本体に係止する係止機構を電動式の施錠装置で開閉するようにしたものが提案されている（特許文献１）。
また、開閉揺動する郵便受け箱の扉での揺動端部に固定された外筒体とこの外筒体のボックス内端空間に位置する部分に支持体を介して設けられるラッチ版を備えたラッチ機構と、このラッチ機構のラッチ板と係脱するストッパー片と、ラッチ板の作動を規制することが出来るように前記外筒体に直接又は間接的に設けられたラッチ規制片と、前記外筒体に設けられた南京錠のロックアーム用のロック孔を有する可動中軸あるいは可動摘み部材とで構成したものが提案されている（特許文献２及び特許文献３）。
さらには、開閉揺動する郵便受け箱の扉での揺動端部に固定された外筒体と、この外筒体のボックス突入端側に支持体を介して設けられたラッチ機構と、このラッチ機構のラッチ板と係脱するストッパー片と、ラッチ板の作動を規制することが出来ように前記外筒体に直接又は間接的に設けられたラッチ規制片と、前記外筒体に設けられた南京錠のロックアーム用のロック孔を有する可動中軸あるいは可動摘み部材とで構成し、前記ラッチ規制片は、前記可動中軸の内端部と前記支持体の先端部に軸心に沿う方向で移動可能な状態に内装されるとともに、前記可動中軸は前記ロック孔が前記外筒体の外端面から常時露出するように形成されているものが提案されている（特許文献４）。
【先行技術文献】
【特許文献】
【０００３】
【特許文献１】特開２０１６−１８８４６６号公報
【特許文献２】実公平６−８２２１号公報
【特許文献３】特開２００９−９１７２８号公報
【特許文献４】特開２０１１−８９２７４号公報
【発明の概要】
【発明が解決しようとする課題】
【０００４】
特許文献１に開示されている鍵等の収納装置では、逆Ｕ字状のシャックルをドアノブの軸に係着可能な着脱可能に取り付けるようにしていることから、ドアノブの形態よっては収納ボックスをドアの部に取り付けられず、使用環境が限定されるという不都合を有しているうえ、収納空間の開口部を覆っている扉体の開閉操作時に施錠―解錠するための電動式作動機器が収納されていることから、該作動機器を駆動するために制御機器や駆動機器を配置しなければならず、コストアップとなるだけでなく、収納空間を大きく取れないという不都合があった。
【０００５】
また、特許文献２、３、４に開示されている錠装置では、開閉扉に相対移動可能な状態で組み付けた軸の先端部に支持体を介してラッチ機構を配置し、ラッチ機構のラッチ版を軸の軸心に沿う方向で揺動可能に構成するとともにこのラッチ板を施錠側に弾性付勢し、扉の開き作動に基づき、閉じ側に付勢している弾性力に抗してラッチ板を揺動させることでラッチ板とストッパー片との係合を解除し、軸の回転に伴いラッチ板の回転を規制するようにしてあることから、軸芯に沿って揺動するラッチ板の揺動スペースを確保しておかなければならず、ラッチ機構の奥行寸法・高さ寸法が大型化してしまううえ、ラッチ機構が複雑化して、安定した作動を確保できる耐久性に不安があった。
【０００６】
本発明は、このような点に鑑み提案されたものであり、収納ボックスの収納空間内で占有されてしまう錠装置の設置スペースを小さくすることができるとともに、長期にわたって安定した作動を行える収納ボックスの錠装置を提供することを目的とする。
【課題を解決するための手段】
【０００７】
上述の目的を達成するために、請求項１に係る発明の収納ボックスの錠装置は、一側面を開口部（２）に形成しているボックス状のケース本体（１）と、この開口部（２）を閉塞する扉体（３）とを有する収納ボックスに組み込まれる錠装置であって、
扉体（３）に形成した貫通孔（９）に進退可能に組み込まれた操作軸（１０）と、
この操作軸（１０）の扉体（３）の内面から突出された部位に回動不能に組み付けられ操作軸（１０）の回動操作で回動するロック板（１１）と、
上記操作軸（１０）を押し込み進入させない時には操作軸（１０）を進退可能にかつ回動不能に支持させ、操作軸（１０）を押し込み進入させた時には操作軸（１０）を回動可能に支持させる支持ブロック（１２）と、
ケース本体（１）の内部に設けられたロック板受止部（５）とを備え、
上記ロック板（１１）には、その板部（２０）の一部から外方に延出させた係合突片（２１）を設けていて、上記操作軸（１０）の回動操作によって、係合突片（２１）が上記ロック板受止部（５）と係合する位置と係合しない位置に移動可能に構成されており、
上記操作軸（１０）には、押し込み進入させていない状態で上記扉体（３）の外面から突出している部位に、操作軸（１０）の南京錠（１６）のツル（１６ａ）を挿通させて操作軸（１０）の押し込み進入を不能にさせるツル挿通孔（１７）が形成されていることを特徴とするものである。
請求項２に係る発明の収納ボックスの錠装置は、操作軸（１０）のツル挿通孔（１７）に南京錠（１６）のツル（１６ａ）を挿通させたものである。
【発明の効果】
【０００８】
請求項１，２に係る発明の収納ボックスの錠装置は、操作軸（１０）と、ロック板（１１）と、支持ブロック（１２）と、ロック板受止部（５）とを備えさせたことによって、ケース本体内で錠装置として占有する設置スペースを小さくすることが出来るとともに、長期にわたって安定した作動を行うことが出来る。そして、操作軸のツル挿通孔に南京錠のツルを挿通して施錠することで、扉の開閉操作を不能にすることが出来る。
【図面の簡単な説明】
【０００９】
【図１】本発明の一実施形態を示す鍵収納ボックスの分解斜視図である。
【図２】図１に示す鍵収納ボックスの外観斜視図である。
【図３】図１に示す鍵収納ボックスの施錠姿勢での縦断側面図である。
【図４】図１に示す鍵収納ボックスの開扉姿勢での縦断側面図である。
【図５】錠装置の作動状態を示し、（Ａ）は施錠姿勢での要部正面図、（Ｂ）は施錠姿勢での要部断面図である。
【図６】錠装置の作動状態を示し、（Ａ）は解錠姿勢での要部正面図、（Ｂ）は解錠姿勢での要部断面図である。
【発明を実施するための形態】
【００１０】
図１は、本発明の一実施形態を示す鍵収納ボックスの分解斜視図であり、この収納ボックスは、前面に開口部を有する金属製ボックスのケース本体（１）と、ケース本体（１）の開口部（２）を閉塞する扉体（３）とを備えており、この扉体（３）は、ケース本体（１）の開口下端部に俯仰揺動可能に組み付けてある。
【００１１】
ケース本体（１）は鉄又は鋼で形成し、ＡＢＳ樹脂でコーティングした前面開放状のボックスであり、その内部に位置する空間部分（４）の上部に後述するロック板受止部（５）が固定されるとともに、下部に扉体（３）を揺動支持する保持枠（６）が組み付けてある。これらロック板受止部（５）及び保持枠（６）は、図３及び図４に示すようにケース本体（１）の背面壁（７）にボックス内部から止めつけてある。ここでケース本体（１）を金属ブロックから削出し加工で形成した場合には、対象物が鍵収納ボックスであることから、外部からの破壊を可及的に抑制することが出来る。
【００１２】
前述のロック板受止部（５）は、ケース本体（１）の背面壁（７）に止めつけ固定する固定部（５ａ）と、その固定部（５ａ）の上部から前方に連出した庇部（５ｂ）とからなり、庇部（５ｂ）の前端縁に沿ってロック板受止溝（５ｃ）が刻設してある。
【００１３】
扉体（３）のボックス内側での上部には、錠装置（８）が組み付けてある。この錠装置（８）は、図３及び図４に示すように、扉体（３）の上部に形成した貫通孔（９）に進退可能に組み込まれた操作軸（１０）と、該操作軸（１０）に相対回動不能に装着されかつ操作軸（１０）の進退移動は許容するロック板（１１）と、操作軸（１０）を押し込み進入させない時には操作軸（１０）を進退可能にかつ回動不能に支持させ、操作軸（１０）を押し込み進入させた時には操作軸（１０）を回動可能に支持させる支持ブロック（１２）と、支持ブロック（１２）の内側端面に組み付けた支持板（１３）と、操作軸（１０）の内端側に形成した凹嵌部に組込まれて操作軸（１０）を進出側に弾性付勢する圧縮バネ（１４）とで構成してある。
【００１４】
操作軸（１０）には、扉体（３）側の端部に操作用摘み（１５）が形成されるとともに、この摘み（１５）に繋がる部分に南京錠（１６）のツル（１６ａ）を挿通させる挿通孔（１７）が透設してある。
このツル（１６ａ）を挿通させるツル挿通孔（１７）は、前記操作軸（１０）が圧縮バネ（１４）で付勢されている状態では、扉体（３）の表面から突出しており、操作軸（１０）を圧縮バネ（１４）の弾発力に抗してケース本体（１）内に退入させた状態では、扉体（３）に形成されている貫通孔（９）内に入り込む状態に形成してある。
【００１５】
前記操作軸（１０）の内端部には鍔部（１８）が形成してあり、この鍔部（１８）は円周面の一部を前記ツル挿通孔（１７）の貫通方向と平行に切除して略小判型に形成してある。さらに、操作軸（１０）の前記挿通孔（１７）と鍔部（１８）との間に位置する軸部分の円周面を前記鍔部（１８）の平行面と約９０度位相が異なる平面部を有する略小判型に形成してロック板挿嵌部（１９）としてある。
【００１６】
ロック板（１１）は、円板部（２０）での円周面の一部を半径方向に延出させて係合突片（２１）に形成するとともに、円板部（２０）に前記操作軸（１０）の軸部分に形成したロック板挿嵌部（１９）に外嵌する小判型の装着孔（２２）が形成してある。
この小判型の装着孔（２２）に、操作軸（１０）のロック板挿嵌部（１９）が貫装されることで、ロック板（１１）は、操作軸（１０）に相対回動不能に装着されかつ操作軸（１０）の進退移動は許容するように構成される。
【００１７】
支持ブロック（１２）は、操作軸（１０）に形成されている前記ツル挿通孔（１７）が水平に位置する姿勢で、操作軸（１０）の内端に形成されている鍔部（１８）が挿通可能な操作軸挿通孔（２３）と、操作軸（１０）に挿嵌保持したロック板（１１）が操作軸（１０）の軸心周りに回動した際に円板部（２０）及び係合突片（２１）の回動を許容する凹嵌部（２４）とを有している。
【００１８】
操作軸挿通孔（２３）は、操作軸（１０）の鍔部（１３）と同形の小判型で、この操作軸挿通孔（２３）の内周面は鍔部の外周面との間にわずかな隙間を持って形成してある。そして、操作軸（１０）は前述のように、圧縮バネ（１４）で扉体（３）から外部に突出するように弾性付勢されていることから、鍔部（１８）の形状と操作軸挿通孔（２２）の形状とが一致している際には、操作軸（１０）の鍔部（１８）は操作軸挿通孔（２３）の内部に嵌り込んで、操作軸（１０）の回動は不能に抑制されることになり、操作軸（１０）に嵌着されているロック板（１１）は、回動することが出来ず、ケース本体（１）に形成されているロック板受止部（５）との係合状態にあるので、扉体（３）は開扉不能となる。
【００１９】
一方、鍔部（１８）の形状と操作軸挿通孔（２３）の形状とが一致している状態で操作軸（１０）を圧縮バネ（１４）の弾性付勢力に抗して軸芯に沿って押し込むと、鍔部（１８）が操作軸挿通孔（２３）の領域を通過して支持ブロック（１２）の内側に形成した圧縮バネ(12)の収容空間部分に進出すること操作軸挿通孔（２３）での規制が解除されることから、鍔部（１８）回動可能となる。そして、操作軸（１０）を押し込んだ状態で、操作軸（１０）を回動させることで、操作軸（１０）に嵌着されているロック板（１１）は回動する。この状態で操作軸（１０）を９０度回動させると、ロック板（１１）がケース本体（１）に形成されているロック板受止部（５）から外れて、開扉可能な状態となる。なお、この状態では鍔部（１８）の形状と操作軸挿通孔（２３）の形状とが一致していないので操作軸（１０）に作用している押し込み力を取り除いても操作軸（１０）に作用している圧縮バネ（１４）の弾性力で鍔部（１８）の端面部分が支持ブロック（１２）の奥側端面に受け止められ、開扉可能な状態は維持されることになる。
【００２０】
ロック板（１１）がロック板受止部（５）に係合している状態を示す図５（Ａ）及び図５（Ｂ）では、操作軸（１０）は圧縮バネ（１４）のバネ力で扉体（３）から突出する側に付勢されており、操作軸（１０）に進退可能に係合されているロック板（１１）の係合突片（２１）がロック板受止部（５）のロック板受止溝（５ｃ）に入り込んで扉体（３）の開閉揺動を抑制している。この状態で操作軸（１０）の内端部に位置している鍔部（１８）は、この鍔部（１８）と同形に形成されている支持ブロック（１２）の操作軸挿通孔（２３）の内部に位置しており、操作軸（１０）は回動操作を抑制された状態となっている。そしてこの状態では、操作軸（１０）に貫通形成されているツル挿通孔（１７）は、扉体（３）の前面から露出しており、ツル挿通孔（１７）に南京錠（１６）のツル（１６ａ）が挿通可能となっているから、南京錠（１６）のツル（１６ａ）を挿通させて南京錠（１６）を施錠することで、ツル（１６ａ）が扉体（３）で受け止められることになって、操作軸（１０）がケース本体（１）内へ進入移動することを阻止することになる。
【００２１】
図６（Ａ）及び図６（Ｂ）はロック板（１１）がロック板受止部（５）から外れている状態を示しており、操作軸（１０）に吊持されている南京錠（１６）を取り外し、操作軸（１０）を圧縮バネ（１４）の押し出し付勢力に抗して押し込むことで、操作軸（１０）の前端に形成されている鍔部（１８）が操作軸挿通孔（２２）を移動し、支持ブロック（１２）の奥側端面よりもケース本体（１）の内側空間（４）側に移動し、操作軸（１０）は回動可能な状態となる。そして、操作軸（１０）を押し込んだ姿勢で操作用摘み（１５）を回動操作する。操作軸（１０）を押し込んだ状態で回動させることで、操作軸（１０）に組み付けられているロック板（１１）が回動し、ロック板（１１）の係合突片（２１）がロック板受止部（５）のロック板受止溝（５ｃ）から外れて凹嵌部（２４）に入り、扉体（３）は開扉可能となる。
【００２２】
上記の実施形態では、操作軸（１０）の円周面の一部を平面に形成した小判型とするとともに、操作軸（１０）に挿嵌するロック板（１１）のロック板装着孔（２２）を小判型として、相対回動不能かつ軸芯に沿って相対進退可能に組み付けて操作軸（１０）とロック板（１１）とを連携させているが、この部分は、スプライン軸と、該スプライン軸に嵌り合う装着孔を有するロック板（１１）であってもよい。
【００２３】
上述の実施態様では、一つの鍵収納ボックスについて説明したが、この鍵収納ボックスは複数または多数用意して縦または横または縦と横に隙間なくまたは接近させて配列させることで複数または多数の鍵収納ボックス群の集合体を形成するようにしてもよい。また、上記実施形態の鍵収納ボックスは、シャックルを装備させてない場合について説明したが、特表２０１３ー５０５３８０（図１，図２）に示されるようにシャックルを装備させるタイプの鍵収納ボックスでに構成してもよい。さらには、本発明の鍵収納ボックスは、収納ボックスの収納容積を増大させることで、戸建て住宅で戸外に設置されているメールボックスや、宅配品ボックス、或いは集合住宅でのメールボックスの錠装置として使用してもよいものである。
【産業上の利用可能性】
【００２４】
本発明は、住宅や倉庫を複数の利用者が共同利用する場合の鍵収納ボックスや集合住宅でのメールボックスでの錠装置として広く使用することが出来る。
【符号の説明】
【００２５】
１…ケース本体、２…開口部、３…扉体、５…ロック板受止部、１０…操作軸、１１…ロック板、１６…南京錠、１６ａ…南京錠のツル、１７…南京錠のツルを挿通させるツル挿通孔。
【図１】
2019163657.tif 000003
【図２】
2019163657.tif 000004
【図３】
2019163657.tif 000005
【図４】
2019163657.tif 000006
【図５】
2019163657.tif 000007
【図６】
2019163657.tif 000008